(57)【要約】【課題】半嵌合のオスコネクタの対処が楽に行え、コネクタ上部に余裕スペースがない場合でも適用の容易な多連装コネクタを提供する。【解決手段】複数のオスコネクタ３０と、複数のオスコネクタ嵌合室１３を有するメスコネクタ１０と、各オスコネクタに設けられたロックアーム３２、ロックアームの撓み空間３５と、オスコネクタの嵌合方向と同じ方向に押し込まれる一括嵌合検知部材４０と、を備える。一括嵌合検知部材は、半嵌合のオスコネクタを本嵌合位置まで一緒に押し込むことができるもので、全オスコネクタ嵌合室に亘る長さを有し、長手方向の一端をメスコネクタのハウジングにヒンジ４４を介して連結され、ヒンジを回動支点Ａとして回動可能である。【選択図】図１
2008066122.tif 000002
【特許請求の範囲】
【請求項１】
複数のオスコネクタと、これらオスコネクタを嵌合するための横一列に並んだ複数のオスコネクタ嵌合室を有するメスコネクタと、前記各オスコネクタに設けられ、オスコネクタが前記オスコネクタ嵌合室に本嵌合されたときにメスコネクタとロックして当該オスコネクタを抜け止めする可撓性のロックアームと、該ロックアームがメスコネクタにロックするときとロックを解除するときの撓みを許容するロックアームの撓み空間と、前記メスコネクタにオスコネクタを嵌合させた後で、オスコネクタの嵌合方向と同じ方向に押し込まれることにより正規位置に装着される一括嵌合検知部材と、該一括嵌合検知部材を正規位置に装着した状態でロックするロック手段と、を備え、
前記一括嵌合検知部材が、正規位置への装着途中の押し込み過程において、いずれか１つのオスコネクタが本嵌合位置まで挿入されていない半嵌合状態にあるとき、自身が、半嵌合状態にあるオスコネクタと干渉することで、押し込みに対する抵抗力を受け、更にその段階から前記抵抗力を超える押し込み力が加わることで、半嵌合状態にあるオスコネクタを本嵌合位置まで一緒に押し込むものであり、しかも、前記全オスコネクタ嵌合室に亘る長さを有し、その長手方向の一端を前記メスコネクタのハウジングに係合させて、その係合点を回動支点として回動させることにより、正規位置へ装着可能とされていることを特徴とする多連装コネクタ。
【請求項２】
請求項１に記載の多連装コネクタであって、
前記一括嵌合検知部材が、正規位置に装着されたとき、前記ロックアームの撓み空間に挿入されることでロックアームの解除方向の撓みを阻止する撓み阻止部を有していることを特徴とする多連装コネクタ。
【請求項３】
請求項１または２に記載の多連装コネクタであって、
前記横一列に並んだオスコネクタ嵌合室とオスコネクタの組が、前記一括嵌合検知部材を押し込み操作するときの前記回動支点に近い側から遠い側に向かって、必要嵌合力の大きい順番に配列されていることを特徴とする多連装コネクタ。
【請求項４】
請求項１〜３のいずれか１項に記載の多連装コネクタであって、
前記一括嵌合検知部材の長手方向の一端が、前記メスコネクタのハウジングにヒンジを介して一体に連結されており、そのヒンジを回動支点にして一括嵌合検知部材が回動可能とされていることを特徴とする多連装コネクタ。
【請求項５】
請求項１〜３のいずれか１項に記載の多連装コネクタであって、
前記一括嵌合検知部材の長手方向の一端と、それに対応する前記メスコネクタのハウジングの端部とに、互いに係合させた状態でヒンジ作用をなす係合部が設けられており、両係合部を互いに係合させた点を回動支点とすることにより、一括嵌合検知部材が回動可能とされていることを特徴とする多連装コネクタ。
【発明の詳細な説明】
【技術分野】
【０００１】
本発明は、１つのメスコネクタのハウジングに複数のオスコネクタ嵌合室が設けられ、各オスコネクタ嵌合室にそれぞれオスコネクタを嵌合できるように構成された多連装コネクタ、特に、全部のオスコネクタがメスコネクタに適正に嵌合されているかどうかを一括して検知できるように構成された多連装コネクタに関するものである。
【背景技術】
【０００２】
この種の、複数のオスコネクタを１つのメスコネクタハウジングに嵌合できるように構成し、しかも、全オスコネクタが適正嵌合されているかどうかを検知する機能を有した多連装コネクタの従来例として、特許文献１に記載のものが知られている。
【０００３】
図９は、この特許文献１に記載されたコネクタを示す。このコネクタでは、メスコネクタ１１０のハウジング１１１に横一列に並んだ複数のオスコネクタ嵌合室１１３が設けられ、各オスコネクタ嵌合室１１３にそれぞれオスコネクタ１３０を嵌合できるようになっている。
【０００４】
メスコネクタ１１０のハウジング１１１の上壁の前端近傍には、全部のオスコネクタ嵌合室１１３の長さに亘る細長い開口１５０が設けられると共に、その開口１５０の端部には、ヒンジ１４４により一括嵌合検知部材１４０の一端が一体に連結されている。
【０００５】
一括嵌合検知部材１４０は、開口１５０に嵌まる大きさのもので、ヒンジ１４４を支点にして上下方向回動可能とされ、オスコネクタ１３０をメスコネクタ１１０に嵌合させた状態で、上方から開口１５０に向けて倒すことにより、全オスコネクタ１３０が適正嵌合状態のときは、一括嵌合検知部材１４０を開口１５０に適正に嵌めることができ、一方、いずれかのオスコネクタ１３０が半嵌合状態のときは、半嵌合のオスコネクタ１３０に自身が干渉することにより、開口１５０に適正に嵌めることができなくなるようになっている。
【０００６】
従って、一括嵌合検知部材１４０を倒せる位置によって、全部のオスコネクタ１３０の嵌合状態をチェックすることができる。
【０００７】
また、一括嵌合検知部材１４０を開口１５０に適正に嵌めることができたときには、一括嵌合検知部材１４０のロック部１４５がメスコネクタ１１０側のロック部（不図示）とロックし、その状態で、オスコネクタ１３０の抜けが確実に阻止されるようになっている。
【特許文献１】特開平２−８６０７９号公報
【発明の開示】
【発明が解決しようとする課題】
【０００８】
ところで、上記の特許文献１に記載の多連装コネクタでは、一括嵌合検知部材１４０がオスコネクタ１３０の挿入方向に対して垂直な方向から押し込まれるようになっているので、いずれかのオスコネクタ１３０が半嵌合状態にあるときには、次のような操作を行う必要がある。
【０００９】
即ち、いずれかのオスコネクタ１３０が半嵌合状態にあるときには、一括嵌合検知部材１４０を正規位置（開口１５０に適正に嵌まる位置）まで押し込めないことにより、半嵌合のものがあることを知るわけであるが、その際、その状態を解消するために、まず、半嵌合状態にあるオスコネクタ１３０を本嵌合させる操作を行い、次いで再び、一括嵌合検知部材１４０を開口１５０に嵌める操作を行う必要がある。従って、２つの操作を続けて行うことになるため、作業効率が悪かった。
【００１０】
また、上記コネクタの場合、コネクタの上部に、一括嵌合検知部材１４０を配置したり押し込み操作したりするスペースが必要であり、コネクタの上部にそのようなスペースが十分に確保できない場合は、適用が難しいという問題もあった。
【００１１】
本発明は、上記事情を考慮し、半嵌合のオスコネクタがある場合の対処が楽に行えると共に、コネクタ上部に余裕スペースがない場合でも適用の容易な多連装コネクタを提供することを目的とする。
【課題を解決するための手段】
【００１２】
請求項１の発明は、複数のオスコネクタと、これらオスコネクタを嵌合するための横一列に並んだ複数のオスコネクタ嵌合室を有するメスコネクタと、前記各オスコネクタに設けられ、オスコネクタが前記オスコネクタ嵌合室に本嵌合されたときにメスコネクタとロックして当該オスコネクタを抜け止めする可撓性のロックアームと、該ロックアームがメスコネクタにロックするときとロックを解除するときの撓みを許容するロックアームの撓み空間と、前記メスコネクタにオスコネクタを嵌合させた後で、オスコネクタの嵌合方向と同じ方向に押し込まれることにより正規位置に装着される一括嵌合検知部材と、該一括嵌合検知部材を正規位置に装着した状態でロックするロック手段と、を備え、前記一括嵌合検知部材が、正規位置への装着途中の押し込み過程において、いずれか１つのオスコネクタが本嵌合位置まで挿入されていない半嵌合状態にあるとき、自身が、半嵌合状態にあるオスコネクタと干渉することで、押し込みに対する抵抗力を受け、更にその段階から前記抵抗力を超える押し込み力が加わることで、半嵌合状態にあるオスコネクタを本嵌合位置まで一緒に押し込むものであり、しかも、前記全オスコネクタ嵌合室に亘る長さを有し、その長手方向の一端を前記メスコネクタのハウジングに係合させて、その係合点を回動支点として回動させることにより、正規位置へ装着可能とされていることを特徴とする。
【００１３】
請求項２の発明は、請求項１に記載の多連装コネクタであって、前記一括嵌合検知部材が、正規位置に装着されたとき、前記ロックアームの撓み空間に挿入されることでロックアームの解除方向の撓みを阻止する撓み阻止部を有していることを特徴とする。
【００１４】
請求項３の発明は、請求項１または２に記載の多連装コネクタであって、前記横一列に並んだオスコネクタ嵌合室とオスコネクタの組が、前記一括嵌合検知部材を押し込み操作するときの前記回動支点に近い側から遠い側に向かって、必要嵌合力の大きい順番に配列されていることを特徴とする。
【００１５】
請求項４の発明は、請求項１〜３のいずれか１項に記載の多連装コネクタであって、前記一括嵌合検知部材の長手方向の一端が、前記メスコネクタのハウジングにヒンジを介して一体に連結されており、そのヒンジを回動支点にして一括嵌合検知部材が回動可能とされていることを特徴とする。
【００１６】
請求項５の発明は、請求項１〜３のいずれか１項に記載の多連装コネクタであって、前記一括嵌合検知部材の長手方向の一端と、それに対応する前記メスコネクタのハウジングの端部とに、互いに係合させた状態でヒンジ作用をなす係合部が設けられており、両係合部を互いに係合させた点を回動支点とすることにより、一括嵌合検知部材が回動可能とされていることを特徴とする、
【発明の効果】
【００１７】
請求項１の発明によれば、半嵌合のオスコネクタがある場合には、一括嵌合検知部材を押し込む途中で、一括嵌合検知部材が半嵌合のオスコネクタに干渉することにより抵抗力を受けることになるので、感触の違いにより、半嵌合のコネクタの存在に気づくことができる。しかも、一括嵌合検知部材の押し込み方向とオスコネクタの嵌合方向が同じであることにより、そのまま一括嵌合検知部材の押し込みを続けることによって、半嵌合のオスコネクタを本嵌合位置まで一緒に押し込むことができる。従って、１回の操作で全てのオスコネクタを完全に本嵌合させることができ、コネクタ嵌合時の作業性の向上が図れると共に、コネクタの嵌合信頼性の向上も図れる。
【００１８】
また、一括嵌合検知部材の押し込み操作の際には、一端を回動支点にして、回動させながら押し込むことができるので、てこの原理により、小さい力で容易に一括嵌合検知部材の押し込みができると共に、半嵌合のオスコネクタがある場合にも、一括嵌合検知部材の押し込み操作によって、そのオスコネクタを小さい力で本嵌合させることができる。
【００１９】
また、オスコネクタの嵌合方向と同じ方向から一括嵌合検知部材を押し込むように構成しているので、コネクタの上部に一括嵌合検知部材の配置スペースや押し込みのための作業スペースを確保する必要がなく、コネクタの上部に余裕スペースがない場合にも容易に適用することができる。
【００２０】
請求項２の発明によれば、一括嵌合検知部材を正規位置に装着したとき、一括嵌合検知部材に設けた撓み阻止部がロックアームの撓み空間に挿入して、ロックアームの解除方向の撓みを阻止するので、ロックアームによる係止とロックアームの撓み阻止による係止の二重係止が行われることになり、オスコネクタの抜け止めロックの信頼性を高めることができる。
【００２１】
請求項３の発明によれば、一括嵌合検知部材を押し込み操作するときの回動支点に近い側から遠い側に向かって、必要嵌合力の大きい順番にオスコネクタとオスコネクタ嵌合室の組が配列されているので、てこの原理による作用力の大きい場所に必要嵌合力の大きな組が位置し、作用力の小さい場所に必要嵌合力の大きな組が位置することになる。従って、いずれかのオスコネクタが半嵌合の場合でも、最小の力を加えるだけで、本嵌合位置まで押し込むことができる。
【００２２】
請求項４の発明によれば、一括嵌合検知部材をヒンジを介してメスコネクタのハウジングに一体結合してあるので、部品数の削減と一括嵌合検知部材の装着し忘れ防止を図ることができる。
【００２３】
請求項５の発明によれば、一括嵌合検知部材とメスコネクタのハウジングとを別体に製作しながら、必要時に、一括嵌合検知部材の係合部とメスコネクタハウジングの係合部を互いに係合させることにより、その係合点を回動支点として一括嵌合検知部材を回動できるようにしているので、一括嵌合検知部材やメスコネクタハウジングの成形コストの低減が図れる。
【発明を実施するための最良の形態】
【００２４】
以下、本発明の実施形態を図面を参照しながら説明する。
【００２５】
図１は第１実施形態のコネクタの嵌合前の状態を示す斜視図、図２は１つのオスコネクタが半嵌合の状態で一括嵌合検知部材を回動させているときの状態を示す平面図、図３は全部のオスコネクタが本嵌合したときのメスコネクタとオスコネクタと一括嵌合検知部材との関係を示す平面図、図４は図３の状態のときの要部の断面図、図５は図３の状態のときのオスコネクタ側から見た一部の正面図である。
【００２６】
図１に示すように、第１実施形態の多連装コネクタは、複数の合成樹脂製のオスコネクタ３０と、これらオスコネクタ３０を嵌合する合成樹脂製のメスコネクタ１０と、メスコネクタ１０にオスコネクタ３０を嵌合させた後で、オスコネクタ３０の嵌合方向と同じ方向に押し込まれることにより正規位置に装着される二重係止部材と嵌合検知部材を兼ねるバー状で合成樹脂製のの一括嵌合検知部材４０と、から構成されている。
【００２７】
メスコネクタ１０のハウジング１１は、相手コネクタに対する嵌合方向の前面に、横一列に並んだ複数のオスコネクタ嵌合室１３を有している。横一列に並んだ複数のオスコネクタ嵌合室１３は、上壁１２Ａと下壁１２Ｂと左右側壁１２Ｃとで囲まれた長方形状の空間を、複数の隔壁１２Ｄで仕切ることにより形成されており、各オスコネクタ嵌合室１３内には、ハウジング１１の後壁から端子Ｔが挿入固定されている。
【００２８】
各オスコネクタ３０のハウジング３１の天板部には、コネクタ嵌合方向の前方側の固定端で片持支持されることで、後方側に延びた自由端側が上下方向に撓み自在とされた可撓性のロックアーム３２が設けられている。そして、ロックアーム３２と天板部との間に、ロックアーム３２がメスコネクタ１０にロックするときとロックを解除するときの撓みを許容するロックアーム３２の撓み空間３５が確保され、ロックアーム３２の自由端と固定端の間の上面部分に、ロック用の係合凸部３３が設けられている。
【００２９】
また、自由端側の端末部には、コネクタ嵌合方向の後端面が傾斜面３４ａで構成された解除操作部３４が設けられ、その周囲を取り込むように解除操作部３４の誤操作を防止するためのアーム保護部３７が設けられている。
【００３０】
一方、図４に示すように、各オスコネクタ嵌合室１３の天井面（上壁１２Ａの内面）には、ロック凸部１６が設けられている。このロック凸部１６は、オスコネクタ３０をオスコネクタ嵌合室１３に嵌合させたときの初期段階でロックアーム３２の係合凸部３３と干渉することによりロックアーム３２を下方に撓ませ、更に奥にオスコネクタ３０を嵌合させて係合凸部３３が干渉位置を通過してロックアーム３２が定位置に弾性復元することにより、係合凸部３３の背面と係合してオスコネクタ３０を抜け止めロックする部分である。係合凸部３３とロック凸部１６には、コネクタ嵌合動作により、ロックアーム３２をスムーズに撓ませるための案内斜面３３ａ、１６ａが設けられている。
【００３１】
また、図１〜図３に示すように、一括嵌合検知部材４０は、複数のオスコネクタ嵌合室１３に亘る長さを有するバー状の部材として構成されており、長手方向の一端がメスコネクタハウジング１１の一方の側壁１２Ｃに屈曲性の帯板ヒンジ４４を介して連結された帯板状の基板４１と、該帯板状の基板４１の上面に各オスコネクタ嵌合室１３に対応して突設された複数の凸部（撓み阻止部）４２と、前記基板４１の長手方向の他端に突設された係合フック（ロック手段）４５と、を有している。
【００３２】
この一括嵌合検知部材４０は、前記ヒンジ４４を介してメスコネクタ１０に連結されていることにより、そのヒンジ４４を支点に、メスコネクタ１０に対するオスコネクタ３０の嵌合方向と同じ方向に沿う面内で、回動できるように支持されている。そして、メスコネクタ１０にオスコネクタ３０を嵌合させた状態で、一括嵌合検知部材４０を正規の装着位置まで回動させることにより、係合フック４５がメスコネクタ１０側に設けられた係合部（ロック手段）１５にロックするようになっている。
【００３３】
一括嵌合検知部材４０の凸部４２は、上記のように正規の装着位置まで一括嵌合検知部材４０を押し込んで、係合フック４５をメスコネクタ１０側の係合部１５に係合させたときに、図４に示すように、各オスコネクタ３０のロックアーム３２の撓み空間３５内に侵入し、それにより、適正状態でロックされたロックアーム３２のロック解除方向への撓みを阻止する二重係止部としての機能を果たす。
【００３４】
また、適正状態でロックアーム３２がロックされているときには、上述のように、凸部４２は、各ロックアーム３２の撓み空間３５内への侵入が可能となるが、図２に示すように、いずれかのオスコネクタ３０が不適正な嵌合状態のとき、つまり、半嵌合によりロックアーム３２が撓み空間３５内に撓んでいるときには、撓み空間３５内に撓んでいるロックアーム３２と干渉することで、撓み空間３５内への侵入が不可となる。
【００３５】
従って、凸部４２は、オスコネクタが適正に嵌合されているか否かを検知する嵌合検知部の機能を果たすことになり、少なくとも１つの凸部４２がロックアーム３２の撓み空間３５内へ侵入不可となった場合には、それによって、一括嵌合検知部材４０を正規の位置までスムーズに押し込めなくなる。つまり、そのような干渉が起こることによって、一括嵌合検知部材４０をメスコネクタ１０に対し押し込もうとしても、大きな抵抗力を受けることになる。
【００３６】
しかしその段階で、その抵抗力を超える力を加えて、一括嵌合検知部材４０を更に押し込むと、干渉部分を介してオスコネクタ３０にコネクタ嵌合方向の力が加わることにより、半嵌合状態にあるオスコネクタ３０が本嵌合位置まで一緒に押し込まれることになる。
【００３７】
また、このコネクタの場合は、横一列に並んだオスコネクタ嵌合室１３とオスコネクタ３０の組が、一括嵌合検知部材４０を押し込み操作するときの回動支点であるヒンジ４４に近い側から遠い側に向かって、必要嵌合力（サイズの大小や極数に応じて決まる）の大きい順番に配列されている。
【００３８】
次に作用を説明する。
【００３９】
図３、図４に示すように、メスコネクタ１０の各オスコネクタ嵌合室１３に全てのオスコネクタ３０を適正に嵌合させたときには、オスコネクタ３０側のロックアーム３２の係合凸部３３が、メスコネクタ１０側のロック凸部１６に係合することによって、オスコネクタ３０が抜け止めロックされる。
【００４０】
このようにコネクタが正規に嵌合しているときに、一括嵌合検知部材４０を回動させて、回動端の係合フック４５をメスコネクタ１０側の係合部１５に係合させると、ロックアーム３２の撓み空間３５に一括嵌合検知部材４０の各凸部４２を入り込ませることができる。従って、凸部４２によって、各ロックアーム３２のロック解除方向への撓みを阻止することができ（二重係止）、ロックアーム３２の誤操作による不慮の嵌合解除を確実に防止することができる。
【００４１】
また、図２に示すように、いずれかのオスコネクタ３０が半嵌合状態にあるときには、ロックアーム３２が中途半端に撓んでいて、一括嵌合検知部材４０を正規の装着位置まで回動させることができなくなる。従って、そのことで、少なくとも１つのオスコネクタ３０が不適正な嵌合状態にあることを検知できる。しかし、一括嵌合検知部材４０の回動による押し込み方向がオスコネクタ３０の嵌合方向と同じ方向であることから、そのまま、一括嵌合検知部材４０を更に大きな力で押し込むと、半嵌合のオスコネクタ３０を本嵌合位置まで一緒に押し込むことができる。そして、当該オスコネクタ３０のロックアーム３２の撓み空間３５に、一括嵌合検知部材４０の凸部４２を挿入することができる。
【００４２】
このように、一括嵌合検知部材４０を回動させるだけの１回の操作で、半嵌合状態にあるものも含めて、全てのオスコネクタ３０を完全に本嵌合させることができるため、コネクタ嵌合時の作業性の向上が図れると共に、コネクタの嵌合信頼性の向上が図れる。
【００４３】
また、一括嵌合検知部材４０の押し込みの際には、図２に示すように、一端を回動支点Ａとし、他端を力点Ｃにして、その力点Ｃに力を加えることで、回動させながら押し込むことができるので、てこの原理により、小さい力で容易に一括嵌合検知部材４０の押し込みができると共に、半嵌合のオスコネクタ３０（図中の左から２番目のオスコネクタ）がある場合にも、力点Ｃに加える一括嵌合検知部材４０の押し込み操作によって、そのオスコネクタ３０を小さい力で本嵌合させることができる。
【００４４】
即ち、支点Ａから力点Ｃまでの距離Ｌ１よりも、支点Ａからの作用点Ｂまでの距離Ｌ２の方が小さいので、力点Ｃに加える力よりも大きな押し込み力を作用点Ｂに発生させることができ、その作用点Ｂによって、半嵌合のオスコネクタ３０を本嵌合位置まで押し込むことができる。
【００４５】
特に、一括嵌合検知部材４０を押し込み操作するときの回動支点Ａに近い側から遠い側に向かって、必要嵌合力の大きい順番にオスコネクタ３０とオスコネクタ嵌合室１３の組を配列してあるので、てこの原理による作用力の大きい場所に必要嵌合力の大きな組が位置し、作用力の小さい場所に必要嵌合力の小さな組が位置することになる。従って、いずれかのオスコネクタ３０が半嵌合の場合でも、最小の力を加えるだけで、そのオスコネクタ３０を本嵌合位置まで押し込むことができる。
【００４６】
また、本実施形態のコネクタの場合、オスコネクタ３０の嵌合方向と同じ方向から一括嵌合検知部材４０を押し込むようにしているので、コネクタの上部に一括嵌合検知部材４０の配置スペースや押し込みのための作業スペースを確保する必要がなく、コネクタの上部に余裕スペースがない場合にも容易に適用することができる。
【００４７】
また、一括嵌合検知部材４０をヒンジ４４を介してメスコネクタ１０のハウジング１１に一体結合してあることから、部品数の削減と一括嵌合検知部材４０の装着し忘れ防止を図ることができる。
【００４８】
なお、上記第１実施形態のコネクタでは、ヒンジ４４を介して一括嵌合検知部材４０を最初からメスコネクタ１０のハウジング１１に連結していたが、次の第２実施形態のコネクタのように、一括嵌合検知部材４０Ｂをメスコネクタ１０Ｂのハウジング１１Ｂから切り離して製作し、必要時に係合させるように構成することもできる。
【００４９】
図６は第２実施形態のコネクタの嵌合前の状態を示す斜視図、図７は半嵌合のオスコネクタ３０がある状態で一括嵌合検知部材４０Ｂを正規の位置に向けて押し込み操作している状態を示す平面図、図８は押し込みが完了した状態を示す平面図である。
【００５０】
このコネクタでは、一括嵌合検知部材４０Ｂを、メスコネクタ１０Ｂのハウジング１１Ｂから完全に切り離して独立に製作している。一括嵌合検知部材４０Ｂは、基板４１上に凸部４２を有し、長手方向の両端に係合フック１５を有している。即ち、長手方向の一端に設けていたヒンジ（図１参照）を省略し、その代わりに他端側と同様の係合フック１５を設けている。
【００５１】
また、メスコネクタ１０Ｂのハウジング１１Ｂには、他端側（図中右側）については第１実施形態と同様の係合部１５を設けているが、一端側（図中左側）については、係合フック１５を係合させた際にヒンジの機能を果たせるような構造の係合部１５Ｂを設けている。そして、図７に示すように、一端側の係合フック４５をメスコネクタ１０Ｂ側の係合部１５Ｂを係合させることによって、その係合点を回動支点として、一括嵌合検知部材４０Ｂを第１実施形態と同様に回動できるようになっている。
【００５２】
このように一端側の係合フック４５を係合部１５Ｂに係合させた点をヒンジとして一括嵌合検知部材４０Ｂを回動させることができるので、メスコネクタ１０Ｂのハウジング１１Ｂと一体にしていない点による効果を除けば、第１実施形態と全く同様の作用効果を得ることができる。
【００５３】
また、この実施形態では、一括嵌合検知部材４０Ｂをメスコネクタ１０Ｂのハウジング１１Ｂから切り離して製作しているので、一括嵌合検知部材４０Ｂやメスコネクタ１０Ｂのハウジング１１Ｂの成形コストの低減が図れる。
【図面の簡単な説明】
【００５４】
【図１】本発明の第１実施形態のコネクタの嵌合前の状態を示す斜視図である。
【図２】同コネクタにおいて、１つのオスコネクタが半嵌合の状態で一括嵌合検知部材を回動させているときの状態を示す平面図である。
【図３】同コネクタにおいて、全部のオスコネクタが本嵌合したときのメスコネクタとオスコネクタと一括嵌合検知部材との関係を示す平面図である。
【図４】図３の状態のときの要部の断面図である。
【図５】図３の状態のときのオスコネクタ側から見た一部の正面図である。
【図６】本発明の第２実施形態のコネクタの嵌合前の状態を示す斜視図である。
【図７】同コネクタにおいて、半嵌合のオスコネクタがある状態で一括嵌合検知部材を正規の位置に向けて押し込み操作している状態を示す平面図である。
【図８】同コネクタにおいて、一括嵌合検知部材の押し込みが完了した状態を示す平面図である。
【図９】従来の多連装コネクタの従来例を示す斜視図である。
【符号の説明】
【００５５】
１０，１０Ｂ  メスコネクタ
１１，１１Ｂ  ハウジング
１３  オスコネクタ嵌合室
１５，１５Ｂ  係合部（ロック手段）
３０  オスコネクタ
３２  ロックアーム
３５  撓み空間
４０，４０Ｂ  一括嵌合検知部材
４２  凸部（撓み阻止部）
４４  ヒンジ
４５  係合フック（ロック手段）
Ａ  回動支点
Ｂ  作用点
Ｃ  力点
【図１】
2008066122.tif 000003
【図２】
2008066122.tif 000004
【図３】
2008066122.tif 000005
【図４】
2008066122.tif 000006
【図５】
2008066122.tif 000007
【図６】
2008066122.tif 000008
【図７】
2008066122.tif 000009
【図８】
2008066122.tif 000010
【図９】
2008066122.tif 000011